(57)【要約】  システムが提案され、システムは、第１の部材（１１）、第２の部材（１２）、および第３の部材（１０、２）を含み、ここで、第１の部材および第２の部材は、第３の部材に対して回転可能であり、第１の部材および第２の部材は、死角フォロワ連結によって互いに連結され、死角フォロワ連結は、第１の部材および第２の部材が互いに対して回転可能であるが、制限された角度範囲（２６）内でのみ回転可能になるように構成され、第２の部材および第３の部材は、切換え可能な連結機構によって互いに回転不能に連結され、切換え可能な連結機構は、２つの異なる状態間で、すなわちロック状態とロック解除状態との間で切換え可能であり、切換え可能な連結機構を介して第２の部材と第３の部材との間で伝達可能な最大トルクは、ロック解除状態よりロック状態で大きく、切換え可能な連結機構は、第１の部材が第２の部材に対してロック位置にあるとき、切換え可能な連結機構がロック状態になるように構成され、ロック位置は、制限された角度範囲内にあり、ロック位置は、第１の部材がロック位置から開始して、第２の部材に対して、連結機構をロック解除状態に切り換えるように第１の死角（２６）だけ第１の回転方向に回転可能になり、連結機構をロック解除状態に切り換えるように第２の死角（２６）だけ第１の回転方向とは反対の第２の回転方向に回転可能になるように選択される。【選択図】図４および図５
2021504039.tif 000002
【特許請求の範囲】
【請求項１】
システムであって：
第１の部材（１１）、第２の部材（１２）、および第３の部材（１０、２）を含み、
ここで、第１の部材および第２の部材は、第３の部材に対して回転可能であり、
第１の部材および第２の部材は、死角フォロワ連結によって互いに連結され、死角フォロワ連結は、第１の部材および第２の部材が互いに対して回転可能であるが、制限された角度範囲（２６）内でのみ回転可能になるように構成され、
第２の部材および第３の部材は、切換え可能な連結機構によって互いに回転不能に連結され、切換え可能な連結機構は、２つの異なる状態間で、すなわちロック状態とロック解除状態との間で切換え可能であり、切換え可能な連結機構を介して第２の部材と第３の部材との間で伝達可能な最大トルクは、ロック解除状態よりロック状態で大きく、
切換え可能な連結機構は、第１の部材が第２の部材に対してロック位置にあるとき、切換え可能な連結機構がロック状態になるように構成され、ロック位置は、制限された角度範囲内にあり、ロック位置は、第１の部材がロック位置から開始して、第２の部材に対して、連結機構をロック解除状態に切り換えるように第１の死角（２６）だけ第１の回転方向に回転可能になり、連結機構をロック解除状態に切り換えるように第２の死角（２６）だけ第１の回転方向とは反対の第２の回転方向に回転可能になるように選択され、死角フォロワ連結は、好ましくは：１°、２°、３°、４°、５°、１０°のうちの少なくとも１つ以上の第１の死角および／または第２の死角を有するようにさらに構成される、前記システム。
【請求項２】
システムは、ロック位置から開始して第１の死角（２６）または第２の死角（２６）による相対回転が実行された後、第１の部材および第２の部材が、それぞれ第１の回転方向または第２の回転方向において、回転不能にロックされるように構成される、
請求項１に記載のシステム。
【請求項３】
第２の部材（１２）および第３の部材（１０）は、機械インターフェース（１４）によって互いに連結され、機械インターフェース（１４）は、好ましくは単位増分の整数倍のみで、好ましくは安定した相対角度位置を第２の部材と第３の部材との間に画成するように構成され、機械インターフェースは、各相対角度位置で互いに係合する第２の部材（１２）の少なくとも１つの第２の部材インターフェース機能（１８）および第３の部材の少なくとも１つの第３の部材インターフェース機能（１９）によって形成され、それによって死角フォロワ連結は、好ましくは単位増分の２分の１以上である第１の死角および／または第２の死角を有するようにさらに構成される、
請求項１〜２のいずれか１項に記載のシステム。
【請求項４】
切換え可能な連結機構は、機械インターフェース（１４）と、第１の部材（１１）に付随するロック機能（２１）とを含み、ロック機能は、ロック位置でインターフェース機能（１８、１９）の係合解除を防止するように配置される、
請求項３に記載のシステム。
【請求項５】
第１の部材（１１）がロック位置にあるとき、ロック機能（２１）は、第２の部材（１２）を１単位増分だけ第３の部材に対して回転させるには不十分な程度だけ、インターフェース機能間で制限された径方向運動を可能にするように配置される、
請求項４に記載のシステム。
【請求項６】
第２の部材（１２）は、円周方向に分散された複数の第２の部材インターフェース機能（１８）を含み、少なくとも２つの隣接する第２の部材インターフェース機能間の角度距離（３２）は、１単位増分に対応する角度より大きく、
第３の部材（１０）は、円周方向に分散された複数の第３の部材インターフェース機能（１９）を含み、少なくとも２つの隣接する第３の部材インターフェース機能間の角度距離（３２）は、１単位増分に対応する角度より大きく、システムは、機械インターフェースによって画成される任意の相対角度位置で、１つのみの第３の部材インターフェース機能の角度面が、１つのみの第２の部材インターフェース機能の角度面と相互作用して、第１の回転方向および第２の回転方向の第２および第３の部材間の相対回転運動を防止するように構成される、
請求項３〜５のいずれか１項に記載のシステム。
【請求項７】
第２の部材インターフェース機能（１８）および／または第３の部材インターフェース機能（１９）は、１つまたはそれ以上のグループにグループ化され、各グループ内で、隣接するインターフェース機能は、１単位増分に対応する角度だけ分離される、
請求項６に記載のシステム。
【請求項８】
２つの隣接するグループが、２以上の単位増分に対応する角度（３２）だけ分離される、
請求項７に記載のシステム。
【請求項９】
システムは、エネルギー貯蔵部材（７）を含み、第２の部材（１２）は、エネルギー貯蔵部材に連結され、第２の部材が第１の回転方向に第３の部材（１０）に対して、すなわち増分方向に回転することで、エネルギー貯蔵部材内に貯蔵されているエネルギーが増大し、エネルギー貯蔵部材内に貯蔵されているエネルギーは、第１の回転方向とは反対の第２の回転方向に、すなわち減分方向に、第２の部材を回転させる傾向がある、
請求項１〜８のいずれか１項に記載のシステム。
【請求項１０】
第２の部材（１２）と第３の部材（１０）との間の機械インターフェース（１４）は、ロック解除状態でエネルギー貯蔵部材から第２の部材へ伝達されるトルクに反作用することが可能である、
請求項９および請求項３〜８のいずれか１項に記載のシステム。
【請求項１１】
第１の部材がロック位置から離れる方へ第２の部材に対して回転方向に変位したとき、第１の部材（１１）を第２の部材（１２）に対してロック位置へ動かす傾向がある力をかけるように構成される付勢機構（１３）を含む、
請求項１〜１０のいずれか１項に記載のシステム。
【請求項１２】
連結機構によって提供される第２の部材（１２）と第３の部材（１０）との間の回転連結は、第２の部材および第３の部材間の相対的な軸方向運動によって解放することができる、
請求項１〜１１のいずれか１項に記載のシステム。
【請求項１３】
回転連結が解放されたとき、第２の部材（１２）および第３の部材（１０）は、たとえばスプライン連結によって、互いに回転不能にロックされ、したがって第２の部材の回転運動が第３の部材へ伝達される、
請求項１２に記載のシステム。
【請求項１４】
薬物送達デバイス（１）であって、請求項１〜１３のいずれか１項に記載のシステムと、薬物を含むリザーバとを含む前記薬物送達デバイス。
【発明の詳細な説明】
【技術分野】
【０００１】
本開示は、システム、たとえば薬物送達デバイスのためのシステムに関する。システムは、ラチェットシステム、特に回転ラチェットシステムとすることができる。さらに、本開示は、好ましくはシステムを含む薬物送達デバイスに関する。
【背景技術】
【０００２】
本開示は特に、特に回転連結、たとえばその安定性および／または有効な設計に関して、薬物送達デバイスを改善するのに好適なシステムおよび概念に関する。
【発明の概要】
【発明が解決しようとする課題】
【０００３】
したがって、本開示の目的は、改善された薬物送達デバイスの提供を容易にするシステムを提供することである。
【課題を解決するための手段】
【０００４】
この目的は、独立請求項の主題によって実現され、有利な実施形態および改良形態は従属請求項に依拠する。しかし、特許請求の範囲だけでなく残りの開示も、本明細書に開示するシステムの有利な構成を提供することができる。特に、本開示のシステムを薬物送達デバイスの分野に制限する必要はなく、他の技術分野にも適用することができる。しかし、たとえば不適切に設計されたシステムの場合に使用者が露出される相当なリスクを考慮すると、薬物送達デバイスの機構の精密な動作、特に薬物の用量の設定および／または送達に伴う動作が最も重要であることから、本開示のシステムは、薬物送達デバイスに特に好適である。
【０００５】
一態様は、システム、特に薬物送達デバイスのためのシステムに関する。システムは、ラチェットシステムとすることができる。別の態様は、システムを含む薬物送達デバイスに関する。上記および下記で開示する機能は、異なる実施形態または態様に関連して開示された場合でも、互いに組み合わせることができる。さらに、他の機能とともに開示された機能はまた、互いから独立して開示されているものと見なされる。
【０００６】
一実施形態では、システムは、第１の部材、第２の部材、および／または第３の部材を含む。好ましくは、システムは、３つの部材のうちの少なくとも２つを含む。第２および第３の部材は、たとえばラチェットインターフェースによって連結することができる。したがって本明細書では、これらの部材をラチェット部材と呼ぶこともある。ラチェット部材への言及は、第２の部材および／または第３の部材を参照していると見なすこともでき、逆も同様である。第１の部材は、ロック部材または切換え部材とすることができる。この部材の機能は、以下にさらに開示する。
【０００７】
一実施形態では、第１の部材および／または第２の部材は、第３の部材に対して、好ましくは１つまたは２つの反対の回転方向に回転可能である。
【０００８】
一実施形態では、第２の部材および第３の部材は、連結機構、好ましくは切換え可能な連結機構によって、互いに回転不能に連結され、好ましくは回転不能にロックされる。第２の部材と第３の部材との間の連結機構は、第２の部材と第３の部材との間で、好ましくは両方の回転方向にトルクを伝達するように構成することができる。第２および第３の部材に加えられるトルクが第２の部材と第３の部材との間で伝達可能である最大トルクを超過しない限り、連結機構によって第３および第２の部材を互いに回転不能に連結することができ、特に回転不能にロックすることができる。第２および第３の部材間の回転ロックを実現するために、それぞれのインターフェースまたはラチェット機能、たとえば第２および第３の部材上の歯の角度方向に向けられた面が、当接または係合することができる。たとえば相対運動によってインターフェース機能を係合解除するために必要とされる最小の力は、伝達可能な最大トルクを画成することができる。切換え可能な連結機構は、２つの異なる状態間で、すなわちロック状態とロック解除状態との間で切換え可能とすることができる。第２の部材と第３の部材との間の連結は、第２の部材と第３の部材との間で、好ましくは両方の回転方向に、すなわちロック状態ならびにロック解除状態で、トルクを伝達するように構成することができる。
【０００９】
一実施形態では、システムは、切換え可能な連結機構を介して第２の部材と第３の部材との間で伝達可能な最大トルクが、ロック解除状態よりロック状態で大きくなるように構成される。したがってロック状態では、連結はロック解除状態より安定している。ロック状態は、たとえば、連結が連結に作用する機械的振動または他の衝撃力により耐えうるシステムの安全状態とすることができる。したがって、ロック状態では、第２の部材を第３の部材に対して回転させるために、ロック解除状態より大きい、好ましくは相当に大きい力またはトルクが必要とされる。さらに相対回転を完全に防止することができる。ロック状態では、伝達可能な最大の力またはトルクは、第２の部材と第３の部材との間の相対回転を可能にするにはシステムを損傷しなければならないほど大きくすることができる。ロック解除状態では、連結は、たとえば第２の部材を第３の部材に対して回転させるために使用者が加える力によって解放可能である。
【００１０】
一実施形態では、第３の部材に対する第２の部材の回転位置または角度位置は、使用者によって用量設定動作で設定されている用量のサイズを示すことができる。設定された薬物用量は、後にデバイスの送達または投薬動作で送達することができる。
【００１１】
一実施形態では、第２の部材は、用量インジケーション部材、用量フォロワ、もしくは数字スリーブとすることができ、またはこれらの部材のうちの１つに連結することができる。第２の部材は、用量関連情報、たとえば薬物送達デバイスから投薬されるように設定されている用量のサイズに関する情報を提供する印を備えることができる。
【００１２】
一実施形態では、第１の部材および第２の部材は、死角フォロワ連結によって互いに連結される。死角フォロワ連結は、第１の部材および第２の部材が互いに対して回転可能であるが、制限された角度範囲内でのみ、好ましくは一方または両方の回転方向に、角度：３５０°、１８０°、９０°、４５°、２５°、２０°、１０°のうちの１つ以下だけ回転可能になるように便宜的に構成される。便宜的に、第１の部材は、第２の部材に対して回転可能である。第１の部材および第２の部材は、たとえば第２の部材を第３の部材に対して回転させることができる最大角度と比較すると、好ましくは制限された角度範囲内でのみ、他方に対して回転可能である。この角度は、設定可能な最大用量によって画成することができる。最大角度は、３６０°より大きくすることができ、たとえば７２０°またはそれ以上とすることができる。
【００１３】
一実施形態では、切換え可能な連結機構は、第１の部材が第２の部材に対してロック位置、特に角度ロック位置にあるとき、切換え可能な連結機構がロック状態になるように構成される。ロック位置は、制限された角度範囲内とすることができる。ロック位置は、第１の部材がロック位置から開始して、第２の部材に対して、連結機構をロック解除状態に切り換えるように第１の死角だけ第１の回転方向に回転可能になり、かつ／または連結機構をロック解除状態に切り換えるように第２の死角だけ第１の回転方向とは反対の第２の回転方向に回転可能になるように選択することができる。このようにして、２つの異なる回転不能にロック解除状態を確立することができる。回転方向のうちの一方は、設定用量を増分するために提供される方向、すなわち薬物送達デバイスから送達すべき設定用量を増大させるために提供される方向とすることができ、他方の方向は、設定用量を減分するための方向、すなわち薬物送達デバイスから送達すべき用量のサイズを減少させるための方向とすることができる。第１の部材がそれぞれの死角だけ第２の部材に対して回転したとき、システムは、好ましくはロック解除状態である。ロック解除状態では伝達可能な最大トルクがより低いため、この状態で第２の部材を第３の部材に対して回転させることがより容易になる。
【００１４】
一実施形態では、第１の部材は用量設定部材であり、または用量設定部材に連結される。用量設定部材は、薬物送達デバイス内にユーザインターフェースとして提供された部材とすることができる。すなわち、用量設定部材は、使用者が用量を設定するために操作することができる。用量が設定されたとき、設定用量のサイズが所望の目的に対して誤っていることを使用者が発見した場合、用量設定部材を適当な方向に回転させることによって、用量を減少または増大させることができる。
【００１５】
一実施形態では、システムは、ロック位置から開始して第１の死角による相対回転が実行された後、第１の部材および第２の部材が第１の回転方向において、回転不能にロックされるように構成される。しかし、第１の部材が第２の部材に対して反対の回転不能にロック位置の方へ回転することは可能である。
【００１６】
一実施形態では、システムは、ロック位置から開始して第２の死角による相対回転が実行された後、第２の部材および第１の部材が第２の回転方向において、回転不能にロックされるように構成される。しかし、第１の部材が第２の部材に対して反対の回転不能にロック位置の方へ回転することは可能である。
【００１７】
すなわち、死角フォロワ連結は、特定の回転方向への死角による回転を可能にし、この回転が実行された後、第１および第２の部材がその特定の方向において、回転不能にロックされる連結を提供することができる。したがって、第１の部材がロック位置から離れる方へ回転するとき、第１の部材は、まず第２の部材に対してその方向に回転することができ、その後、第１の部材は第２の部材を伴って回転し、したがって第２の部材が第１の部材と同じ方向に第３の部材に対して回転する。
【００１８】
一実施形態では、第１および第２の死角は異なり、または等しい。
【００１９】
一実施形態では、第２の部材および第３の部材は、機械インターフェース、たとえばラチェットインターフェースによって互いに連結される。機械インターフェースは、好ましくは安定した相対角度位置を第２の部材および第３の部材間に画成するように構成することができる。相対角度位置は、好ましくは単位増分の整数倍だけ、第２の部材を第３の部材に対して回転させることができるように画成することができる。単位増分は、便宜的に一定である。単位増分は、機械インターフェースの設計によって設定することができる。したがって、隣接する相対角度位置を得るために、初期角度位置から開始して、少なくとも単位増分に対応する角度だけ、第２の部材を第３の部材に対して回転させなければならない。そうでない場合、回転が終了した後の相対位置が安定せず、第２の部材は便宜的に初期位置へ戻される。
【００２０】
一実施形態では、第２および第３の部材間の機械インターフェースは、特にインターフェースによって画成される各相対角度位置で、第２の部材上のインターフェース機能、たとえば１つまたはそれ以上の歯が、第３の部材のインターフェース機能、たとえば１つまたはそれ以上の歯と係合および／または協働することによって形成することができる。単位増分は、同じ部材上の２つの隣接するインターフェース機能間の距離によって画成することができる。単位増分は、システムによって設定可能である最小用量を画成することができる。特に、機械インターフェースは、各相対角度位置で互いに係合する第２の部材の少なくとも１つのインターフェース機能および第３の部材の少なくとも１つのインターフェース機能によって形成することができる。
【００２１】
一実施形態では、それぞれのインターフェース機能は、ラチェット機能である。したがって、インターフェース機能に関して本明細書に上記および下記で開示する機能は、ラチェット機能にも当てはまり、逆も同様である。
【００２２】
一実施形態では、機械インターフェースは、径方向インターフェースである。特に、第２の部材を第３の部材に対して回転させるために、または逆も同様に、インターフェース機能のうちの一方がインターフェース機能のうちの他方に対して径方向に変位することが便宜的に必要とされる。
【００２３】
一実施形態では、第１の死角および／または第２の死角は、１単位増分に対応する角度より小さい。したがって、機構をロック状態からロック解除状態へ切り換えるために、使用者は、第１の部材を１単位増分未満だけ回転させるだけでよい。したがって、使用者は、使用者が開始した第１の部材の回転に第２の部材がすぐに追従しないことにほとんど気づかない。
【００２４】
一実施形態では、１単位増分に対応する角度は、３０°未満である。１単位増分に対応する角度は、４°より大きく、好ましくは１０°より大きくすることができる。たとえば、１単位増分に対応する角度は、２０°とすることができる。
【００２５】
一実施形態では、機械インターフェースは、便宜的に一方または両方の回転方向において、第２および第３の部材を互いに回転不能にロックする。機械ロックの強度、すなわち第２および第３の部材間で伝達することができるトルクは、第２の部材に対する第１の部材の位置に応じて切り換えることができる。トルクは、ロック解除状態よりロック状態で大きくすることができる。
【００２６】
一実施形態では、切換え可能な連結機構は、第１の部材に付随するまたは第１の部材上に設けられた機械インターフェースおよびロック機能を含む。ロック機能は、第２および第３の部材をロック位置で回転不能にロックするインターフェース機能の係合解除を防止するように配置することができる。第１の部材が死角だけ回転しているとき、すなわちロック解除状態で、好ましくはトルクがロック解除状態で伝達可能な最大トルクを超過した場合のみ、インターフェース機能の係合解除が可能になる。
【００２７】
一実施形態では、第１の部材がロック位置にあるとき、ロック機能は、便宜的にインターフェース機能の係合解除が防止される程度まで、機械インターフェースを形成するインターフェース機能間の相対運動、好ましくは径方向の相対運動を制限または防止するように配置される。したがって、ロック位置にあるとき、第２および第３の部材は、第２の部材および第３の部材を互いに回転不能にロックするために必要とされる相対位置で確実に維持することができる。
【００２８】
一実施形態では、ロック位置にあるとき、ロック機能は、第２の部材を１単位増分だけ隣接する角度位置へ回転させるには不十分な程度だけ、インターフェース機能間で制限されたたとえば径方向の運動を可能にするように配置することができる。したがって、ロック機能は、システム内に存在するいかなる回転またはトルク負荷も受けない。負荷は、機械インターフェースによって完全に反作用することができる。制限された径方向運動は、ロック機能と第２の部材との間の隙間によって画成することができる。
【００２９】
一実施形態では、機械インターフェースは、第２および第３の部材間に安定した相対角度位置を提供するのに十分なほど強く、システムの動作中にたとえば薬物送達デバイス内で発生する内力のすべてに反作用することができる。しかし、薬物送達デバイスが床に落下したときに発生しうる衝撃力のようなさらなる外力、または類似の不規則な力が生じた場合に備えて、インターフェース機能の係合解除を防止するようにロック機能を配置することができる。
【００３０】
一実施形態では、システムは、ばね、たとえばねじりばねのようなエネルギー貯蔵部材を含む。第２の部材は、エネルギー貯蔵部材に連結することができる。第２の部材が第１の回転方向に第３の部材に対して、たとえば増分方向に回転することで、エネルギー貯蔵部材内に貯蔵されているエネルギーを増大させることができる。エネルギー貯蔵部材内に貯蔵されているエネルギーは、第１の回転方向とは反対の第２の回転方向に、たとえば減分方向に、第２の部材を回転させる傾向がある。言い換えると、システムは、巻上げ式システムとすることができ、エネルギー貯蔵部材内に貯蔵されているエネルギーは、第２の部材を第１の方向に回転させることによって増大する。このエネルギーを使用して、たとえば機械インターフェースを解放することによって第２の部材が解放されたとき、第２の部材の第２の回転方向、たとえば減分方向の回転運動を駆動することができる。貯蔵されているエネルギーを使用して、たとえば薬物送達デバイスの投薬運動を駆動することができる。貯蔵されているエネルギーを制御された形で減少させるべきである場合、第１の部材を介して第２の部材を第３の部材に対して減分方向に回転させることができる。
【００３１】
一実施形態では、第２の部材と第３の部材との間の機械インターフェースは、ロック解除状態でエネルギー貯蔵部材から第２の部材へ伝達されるトルクに反作用することが可能である。したがって、たとえば使用者によって第１の部材を介して第２の部材へ伝達されるトルクが、第２の部材を第３の部材に対して回転させることを支援しない限り、第１の部材の位置にかかわらず、第２の部材の回転を機械インターフェースによって防止することができる。
【００３２】
言い換えれば、第２の部材と第３の部材との間に確立された機械インターフェースは、エネルギー貯蔵部材内に貯蔵されているエネルギーによって提供され、第２の部材を第３の部材に対して回転させる傾向があるトルクに耐えるのに十分なほど便宜的に強い。しかし、すぐに明らかになるように、エネルギー貯蔵部材内に貯蔵されているエネルギーが大きければ大きいほど、第２および第３の部材間のインターフェースの安定性が低下し、したがってインターフェースを解放して第２の部材を第３の部材に対して減分方向に回転させるために必要とされるさらなる力またはトルクが低減される。したがって、エネルギー貯蔵部材内に貯蔵されているエネルギーにかかわらず、たとえば外部の衝撃力を受けた場合の機械インターフェースの意図しない解放を防止する切換え可能な連結機構を提供することが有利である。たとえば、薬物送達デバイス内に用量が設定されており、デバイスが偶発的に床に落下した場合、そのような切換え可能な連結機構のないデバイスは、少なくとも事前に設定されている用量の一部または用量の全部を送達する可能性が高くなるはずである。切換え可能な連結機構を提供することによって、これを回避することができる。
【００３３】
一実施形態では、機械インターフェースを介して第２および第３の部材間で伝達可能な最大トルクは、特にロック解除状態で、異なる回転方向に異なってもよい。したがって、機械インターフェースは、非対称とすることができる。便宜的に、エネルギー貯蔵部材内に貯蔵されているエネルギーが第２の部材を回転させる傾向があることから、最大トルクはその方向でより大きくなる。これは、非対称の機械インターフェースによって、たとえば異なる傾斜のフランクまたは角度面を有するラチェット機能、たとえば歯によって実現することができる。別法として、機械インターフェースは対称とすることができ、すなわち伝達可能な最大トルクを両方の回転方向で等しくすることができる。
【００３４】
一実施形態では、エネルギー貯蔵部材内に貯蔵されているエネルギーは、第３の部材に対する第２の部材の減分運動または回転を支援する。すなわち、使用者にとって、用量の増分より用量の減分がより容易であると考えられる。これは、機械インターフェース自体が対称である場合、またはさらには非対称である場合に当てはまる。
【００３５】
一実施形態では、システムは、付勢機構を含む。付勢機構は、特に第１の部材がロック部材から離れる方へ第１の回転方向および／または第２の回転方向のように変位したとき、第１の部材をロック位置へ第２の部材に対して維持しまたは動かす傾向がある力をかけるように構成することができる。したがって、ロック位置は、第１の部材が第２の部材に対して有する定位置とすることができる。したがって、第２の部材を第３の部材に対していずれかの回転方向に回転させることのためのようにシステムが使用者によって操作されない限り、システムはロック状態にある。付勢機構は、第１の部材が第２の部材に対して回転しているとき、第１の部材をロック位置へ第２の部材に対して維持しまたは動かす傾向がある１つまたは複数のばねによって実現することができる。
【００３６】
一実施形態では、システムは、好ましくは第２の部材および第３の部材間のたとえば軸方向の相対運動によって、第２の部材と第３の部材と間の切換え可能な連結機構および／または機械インターフェースによって提供される回転連結を解放することができるように構成される。この動きは、たとえば薬物送達デバイス内の投薬動作を開始またはトリガするために必要とされる動きとすることができ、したがって事前にダイヤル設定または設定された薬物の設定用量は、たとえばエネルギー貯蔵部材内に貯蔵されているエネルギーを使用することによって投薬される。連結またはインターフェースが解放されると、第２の部材は自由に回転することができる。
【００３７】
一実施形態では、回転連結が解放されたとき、第２および第３の部材は、たとえばスプライン連結によって互いに回転不能にロックされ、したがって第２の部材の回転運動が第３の部材へ伝達される。したがって、軸方向運動によって、第３の部材は、システムまたは薬物送達デバイスの第４の部材、たとえばハウジングから回転可能にデカップリングすることができ、第２の部材に回転不能にロックすることができる。したがって、第３の部材は、第１の軸方向構成および第２の軸方向構成で、たとえば第３の部材が第２の部材および／または第４の部材に対して軸方向に変位したとき、第２の部材を回転不能にロックする機能を有し、第２の部材によって、たとえばエネルギー貯蔵部材内に貯蔵されているエネルギーを介して駆動される部材にすることができる。
【００３８】
一実施形態では、第２の部材（第１のラチェット部材）は、円周方向または角度方向に分散された複数の第２の部材インターフェース機能（第１のラチェット機能）を含み、好ましくは、少なくとも２つの隣接する第２の部材インターフェース機能間の角度距離は、１単位増分に対応する角度より大きい。追加または別法として、第３の部材（第２のラチェット部材）は、円周方向または角度方向に分散された複数の第３の部材インターフェース機能（第２のラチェット機能）を含み、好ましくは、少なくとも２つの隣接する第３の部材インターフェース機能間の角度距離は、１単位増分に対応する角度より大きい。システムは、好ましくは、機械インターフェースによって画成される任意の相対角度位置で、少なくとも１つ、好ましくは１つのみの第３の部材インターフェース機能の角度面が、少なくとも１つ、好ましくは１つのみの第２の部材インターフェース機能の角度面と相互作用して、特に第１の回転方向および／または第２の回転方向の第２および第３の部材間の相対回転運動を防止するように構成される。第１の回転方向を向いている第２の部材インターフェース機能の１つの角度面は、第１の方向とは反対の第２の回転方向を向いている第３の部材インターフェース機能の１つの角度面と相互作用することができる。第２の回転方向を向いている第２の部材インターフェース機能の別の角度面は、第１の回転方向を向いている第３の部材インターフェース機能の１つの角度面と相互作用することができる。これらの角度面は、同じ第２の部材インターフェース機能または異なる第２のインターフェース機能の一部とすることができる。
【００３９】
したがって、それぞれのインターフェース機能は、少なくとも１つまたは２つ以上のセクションを有する（規則的または不規則な）パターンで、角度または円周方向に分散させることができ、同じ部材上の隣接するインターフェース機能は、１単位増分に対応する角度より大きい角度分離または角度距離を有し、機械インターフェースはそれでもなお、１単位増分の整数倍の部材間の相対角度位置を画成することができる。より大きい分離を有する２つの隣接するインターフェース機能間のセクションは、たとえば薬物送達デバイスの組立て中に追加の要素の機能を案内することができる通過領域を提供することができる。
【００４０】
一実施形態では、それぞれのインターフェース機能は径方向に向けられる。言い換えれば、インターフェース機能は、径方向の自由端を有することができる。
【００４１】
一実施形態では、角度面または表面によってインターフェース機能をそれぞれの角度または回転方向に区切ることができる。
【００４２】
一実施形態では、第１の回転または角度方向に第２の部材インターフェース機能を区切る角度面はすべて、第２の部材の角度面の第１のセットを形成する。第１の回転または角度方向とは反対の第２の回転または角度方向に第２の部材インターフェース機能を区切る角度面はすべて、第２の部材の角度面の第２のセットを形成することができる。第１および第２のセットは重複しない。
【００４３】
一実施形態では、第１の回転または角度方向に第３の部材インターフェース機能を区切る角度面はすべて、第３の部材の角度面の第１のセットを形成する。第１の回転または角度方向とは反対の第２の回転または角度方向に第３の部材インターフェース機能を区切る角度面はすべて、第３の部材の角度面の第２のセットを形成することができる。第１および第２のセットは重複しない。
【００４４】
一実施形態では、機械インターフェースによって画成される各相対角度位置で、第２の部材の角度面の第１のセットのうち、角度面のサブセット、すなわち真のサブセットのみが、第３の部材の角度面の第２のセットのうち、角度面のサブセット、すなわち真のサブセットのみと協働するように配置される。それぞれのサブセットは、１つの要素のみを有することができる。したがって、各位置で、１対の角度面のみが、一方の回転方向に機械インターフェースを形成することができる。
【００４５】
一実施形態では、機械インターフェースによって画成される各相対角度位置で、第２の部材の角度面の第２のセットのうち、角度面のサブセット、すなわち真のサブセットのみが、第３の部材の角度面の第１のセットのうち、角度面のサブセット、すなわち真のサブセットのみと協働するように配置される。それぞれのサブセットは、１つの要素のみを有することができる。したがって、各位置で、１対の角度面のみが、他方の回転方向に機械インターフェースを形成することができる。
【００４６】
したがって要約すると、各回転方向で、１対の角度面のみが、機械インターフェースを形成することができる。
【００４７】
互いに協働するように配置された異なるセットの角度面は当接することができ、当接するように配置することができ、かつ／または１単位増分未満、たとえば０．１単位増分未満に対応する角度距離をあけて配置することができる。
【００４８】
一実施形態では、第２の部材インターフェース機能および／または第３の部材インターフェース機能は、１つまたはそれ以上のグループにグループ化され、各グループ内で、隣接するインターフェース機能は、１単位増分に対応する角度だけ分離される。第２の部材インターフェース機能および第３の部材インターフェース機能のうちの一方のみがグループ化されることが好ましい。他方のインターフェース機能は、１つまたはそれ以上のグループ内のインターフェース機能に係合するように適用された個々のインターフェース機能とすることができる。２つ以上のグループがある場合、グループの角度方向の延長は便宜的に一定である。グループは、角度または円周方向に均一に分散させることができる。
【００４９】
一実施形態では、機械インターフェースによって画成される各相対角度位置で、異なる角度または回転方向を向き、１つまたはそれ以上のグループと相互作用するように構成されたインターフェース機能のうちの１つを区切る少なくとも２つまたは厳密に２つの角度面が、１つもしくはそれ以上のグループの角度方向外側に配置され、かつ／または１つもしくはそれ以上のグループのインターフェース機能に係合しない。２つの角度面は、同じ相互作用機能または異なる相互作用機能の一部とすることができる。１つの相対位置で、２つの角度面は、同じ相互作用機能の一部とすることができ、または同じ相互作用機能を区切ることができる。別の相対角度位置で、２つの角度面は、異なる相互作用機能の一部とすることができ、または異なる相互作用機能を区切ることができる。
【００５０】
一実施形態では、機械インターフェースによって画成される各相対角度位置で、異なる角度または回転方向を向き、１つまたはそれ以上のグループと相互作用するように構成されたインターフェース機能のうちの１つを区切る少なくとも２つまたは厳密に２つの角度面が、１つまたはそれ以上のグループのインターフェース機能に係合する。２つの角度面は、同じ相互作用機能または異なる相互作用機能の一部とすることができる。１つの相対位置で、２つの角度面は、同じ相互作用機能の一部とすることができ、または同じ相互作用機能を区切ることができる。別の相対角度位置で、２つの角度面は、異なる相互作用機能の一部とすることができ、または異なる相互作用機能を区切ることができる。
【００５１】
一実施形態では、２つの隣接するグループが、２つ以上の単位増分に対応する角度だけ分離される。２つの好ましくは任意の隣接するグループ間の距離は、好ましくは、１単位増分の整数倍によって画成される。これは、グループの分離にかかわらず、機械インターフェースがそれでもなお単位増分の整数倍で角度位置を画成することを確実にするのに役立つ。
【００５２】
一実施形態では、２つ以上のグループがある場合、グループの角度方向の延長は等しく、かつ／または２つの隣接するグループ間の距離は等しい。グループは、同様に形成することができ、かつ／または均一に分散させることができる。
【００５３】
一実施形態では、すべてのグループの角度方向の延長の和は、１８０°以上である。
【００５４】
一実施形態では、グループ間のすべての間隙の角度方向の延長の和は、１８０°以下である。
【００５５】
一実施形態では、１つまたはそれ以上のグループ内のインターフェース機能と協働するように適用された２つの好ましくは任意の隣接するインターフェース機能間の角度距離は、グループのうちの１つの角度方向の延長以上である。
【００５６】
一実施形態では、１つまたはそれ以上のグループ内のインターフェース機能と協働するように適用された２つの好ましくは任意の隣接するインターフェース機能間の最小角度距離は、グループのうちの１つの角度方向の延長、好ましくは最も小さい角度方向の延長によって画成され、たとえばそれに等しい。
【００５７】
第３の部材と第２の部材との間に切換え可能な連結およびラチェットシステムを有するシステムは、互いから独立して開示されているが、当然ながら組み合わせて適用することもできることに留意されたい。
【００５８】
本明細書では、「角度方向」（または方位角）、「軸方向」、および「径方向」という用語は、システムの画成された軸、たとえば主長手方向軸、第１、第２、および／もしくは第３の部材が回転する回転軸、ならびに／または第１、第２、および／もしくは第３の部材がたとえば同心円状に配列された軸を参照すると理解することができる。
【００５９】
一実施形態では、薬物送達デバイスは、本明細書に開示するシステムを含む。加えて、デバイスは、デバイスから投薬すべき液体薬物を保持するリザーバを含むことができる。デバイスは、投薬運動を駆動するように配置されたピストンロッドを含むことができる。システムの第１の部材は、用量設定または補正部材とすることができる。第２の部材は、用量インジケーション部材または用量フォロワとすることができる。第３の部材は、薬物送達デバイスのハウジング、好ましくは外部ハウジング、ハウジングに恒久的に回転不能にロックされた薬物送達デバイスの部材、または用量設定および／もしくは補正中はハウジングに対して回転不能にロックされるが用量送達中はハウジングに対して回転可能である薬物送達デバイスの部材、たとえば駆動部材とすることができる。駆動部材は、好ましくは直接、薬物送達デバイスのピストンロッドに連結することができる。駆動部材は、用量インジケーション部材または用量フォロワを介してエネルギー貯蔵部材から駆動部材へ駆動力を伝達するために、用量送達中に第２の部材に回転不能にロックすることができる。回転ロックは、機械インターフェースが解放されたときに確立することができる。
【００６０】
特に有利な実施形態では、システムは、第１の部材、第２の部材、および第３の部材を含み、ここで、第１の部材および第２の部材は、第３の部材に対して回転可能であり、第１の部材および第２の部材は、死角フォロワ連結によって互いに連結され、死角フォロワ連結は、第１の部材および第２の部材が互いに対して回転可能であるが、制限された角度範囲内でのみ回転可能になるように構成され、第２の部材および第３の部材は、切換え可能な連結機構によって互いに回転不能に連結され、切換え可能な連結機構は、２つの異なる状態間で、すなわちロック状態とロック解除状態との間で切換え可能であり、切換え可能な連結機構を介して第２の部材と第３の部材との間で伝達可能な最大トルクは、ロック解除状態よりロック状態で大きく、切換え可能な連結機構は、第１の部材が第２の部材に対してロック位置にあるとき、切換え可能な連結機構がロック状態になるように構成され、ロック位置は、制限された角度範囲内にあり、ロック位置は、第１の部材がロック位置から開始して、第２の部材に対して、連結機構をロック解除状態に切り換えるように第１の死角だけ第１の回転方向に回転可能になり、連結機構をロック解除状態に切り換えるように第２の死角だけ第１の回転方向とは反対の第２の回転方向になるように選択される。
【００６１】
上記で詳述したように、このシステムは、改善された使用者の安全を有する薬物送達デバイスの提供を容易にする。
【００６２】
特に有利な実施形態では、ラチェットシステムは、互いに対して、特に回転軸に対して回転可能である第１のラチェット部材および第２のラチェット部材を含み、ラチェット部材は、ラチェットインターフェースによって連結され、ラチェットインターフェースは、ラチェット部材のうちの一方に設けられた第１のラチェット機能およびラチェット部材のうちの他方に設けられた第２のラチェット機能の係合によって形成され、ラチェットインターフェースは、単位増分の整数倍で２つのラチェット部材間に安定した相対角度位置を画成するように構成され、２つの隣接する第１のラチェット機能は、１単位増分に対応する角度より大きい角度だけ分離され、２つの隣接する第２のラチェット機能は、１単位増分に対応する角度より大きい角度だけ分離される。好ましくは、すべての第１のラチェット機能のうちの１つの角度面のみが、すべての第２のラチェット機能のうちの１つの角度面のみと協働して、各安定位置内に安定位置を画成するように配置される。これは、好ましくは、両方の反対の回転方向に当てはまる。角度を分離する隣接するラチェット機能は、たとえば２単位増分または３以上の単位増分に対応する単位増分だけ画成することができる。
【００６３】
より大きい距離を有する領域では、たとえば薬物送達デバイスの組立て中、ラチェット機能を有する領域にわたって他の要素の機能を軸方向に案内することができ、それによってラチェット機能が設けられていない領域を通過することができる。
【００６４】
本開示のさらなる機能、利点、および有利な改良形態は、図面とともに例示的な実施形態の以下の説明から明らかになるであろう。
【図面の簡単な説明】
【００６５】
【図１】薬物送達デバイスの一実施形態の概略断面図である。
【図２】システム、特に切換え可能な連結機構を含むシステムの一実装形態を様々な異なる視点に基づいて概略的に示す図である。
【図３】システム、特に切換え可能な連結機構を含むシステムの一実装形態を様々な異なる視点に基づいて概略的に示す図である。
【図４】システム、特に切換え可能な連結機構を含むシステムの一実装形態を様々な異なる視点に基づいて概略的に示す図である。
【図５】システム、特に切換え可能な連結機構を含むシステムの一実装形態を様々な異なる視点に基づいて概略的に示す図である。
【図６】システム、特に切換え可能な連結機構を含むシステムの一実装形態を様々な異なる視点に基づいて概略的に示す図である。
【図７】システム、特に切換え可能な連結機構を含むシステムの一実装形態を様々な異なる視点に基づいて概略的に示す図である。
【図８】システム、特に切換え可能な連結機構を含むシステムの一実装形態を様々な異なる視点に基づいて概略的に示す図である。
【図９】図２〜図８にまたは別個に示す実装形態でも使用することができる、システム、特にラチェットシステムの別の実装形態を様々な異なる視点に基づいて概略的に示す図である。ここで、図１０ならびに図１１および図１２は、本実装形態の異なる実施形態を示す。
【図１０】図２〜図８にまたは別個に示す実装形態でも使用することができる、システム、特にラチェットシステムの別の実装形態を様々な異なる視点に基づいて概略的に示す図である。ここで、図１０ならびに図１１および図１２は、本実装形態の異なる実施形態を示す。
【図１１】図２〜図８にまたは別個に示す実装形態でも使用することができる、システム、特にラチェットシステムの別の実装形態を様々な異なる視点に基づいて概略的に示す図である。ここで、図１０ならびに図１１および図１２は、本実装形態の異なる実施形態を示す。
【図１２】図２〜図８にまたは別個に示す実装形態でも使用することができる、システム、特にラチェットシステムの別の実装形態を様々な異なる視点に基づいて概略的に示す図である。ここで、図１０ならびに図１１および図１２は、本実装形態の異なる実施形態を示す。
【発明を実施するための形態】
【００６６】
図面では、同一の要素、同一に作用する要素、および同じ種類の要素は、同じ参照番号を使用して識別することができる。
【００６７】
図１は、概略断面図に基づいて薬物送達デバイス１の一実施形態を示す。薬物送達デバイス１は、ペン型デバイスおよび／または注射デバイスとすることができる。薬物送達デバイスは、好ましくは針を介して、薬物を保持するリザーバから薬物を投薬するように便宜的に構成される。たとえば、薬物送達デバイスは、針を介して薬物を患者へ皮下送達するように構成することができる。
【００６８】
図示の実施形態では、薬物送達デバイスは、ハウジング２を含む。ハウジング２は、万年筆の形状に類似している略円筒形の形状を有することができる。ハウジング２は、薬物、好ましくは液体薬物を保持するリザーバ３、たとえばガラスカートリッジのような剛性カートリッジなどのカートリッジを保持する。図示のハウジング２は、単一の部材からなる構造である。しかし、ハウジングは、互いに解放可能または恒久的に固定された別個の部材を含むことができることがすぐに明らかである。したがって、複数の部材からなるハウジングも同様に可能である。
【００６９】
本明細書で使用する用語「薬物」は、好ましくは少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００７０】
インスリン類似体は、たとえば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００７１】
インスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００７２】
エキセンジン−４は、たとえば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００７３】
エキセンジン−４誘導体は、たとえば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００７４】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和物
から選択される。
【００７５】
ホルモンは、たとえば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００７６】
多糖類としては、たとえば、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩がある。ポリ硫酸化低分子量ヘパリンの薬学的に許容される塩の例としては、エノキサパリンナトリウムがある。
【００７７】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００７８】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（たとえば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００７９】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００８０】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００８１】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００８２】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００８３】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００８４】
薬学的に許容される塩は、たとえば、酸付加塩および塩基性塩である。酸付加塩としては、たとえば、ＨＣｌまたはＨＢｒ塩がある。塩基性塩は、たとえば、アルカリまたはアルカリ土類、たとえば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００８５】
薬学的に許容される溶媒和物は、たとえば、水和物である。
【００８６】
リザーバ３は、遠位端および近位端を有する。薬物は、リザーバ３の遠位端を介してデバイス１から出る。近位端側では、リザーバは、可動の栓またはストッパ５によって封止閉鎖することができる。栓５がリザーバの開端（遠位端）の方へ動かされたとき、たとえばリザーバ３の開端を閉鎖することができる封止部材またはセプタム６を針が穿孔することによって、リザーバの内部と環境との間に流体連通が確立されているという条件で、薬物４はリザーバ３から投薬される。リザーバ３は、ハウジングのリザーバ保持セクション内で保持される。ハウジング２が複数の部材からなる構造である場合、リザーバ保持セクションは、ハウジングの残り部分に恒久的または解放可能に取り付けることができる。リザーバ保持セクションまたは部材がハウジングの残り部分に解放可能に固定されている場合、薬物の最終用量がリザーバから送達された後、リザーバを新しいリザーバに交換することができる。リザーバを交換するために、保持部材をハウジングから取り外すことができ、リザーバを保持部材またはホルダから除去して新しいリザーバに交換することができ、新しいリザーバは保持部材内へ導入され、その後、保持部材がハウジングの残り部分に連結される。
【００８７】
さらに、ハウジング２内で、用量設定および／または用量送達機構が保持される。この機構は、次に送達することができる用量のサイズを設定するために便宜的に設けられる。便宜的に、機構は、設定された後の用量を再び変更することができ、たとえば増大または減少させることができるように設計される。したがって、用量設定機構内で用量補正機能を実施することができる。駆動機構は、エネルギー貯蔵部材７内に貯蔵されているエネルギーを利用する駆動機構とすることができる。駆動機構を介して、デバイス内で栓５へ力を伝達することができる。力は、エネルギー貯蔵部材から解放されたエネルギーから生じることができる。
【００８８】
本明細書では、「遠位」という用語は、デバイスの要素またはデバイスのうち、デバイスの投薬端の最も近くに配置される端部を指す。遠位方向は、投薬端に向かう方向である。遠位とは反対に、「近位」という用語は、デバイスの要素またはデバイスのうち、デバイスの投薬端から最も遠くに配置される端部を指す。近位方向は、投薬端から離れる方向である。
【００８９】
エネルギー貯蔵部材７は、ばね、たとえばねじりばねとすることができる。リザーバ３から薬物４を投薬するために、エネルギー貯蔵部材７内に貯蔵されているエネルギーを解放することができる。用量設定中、設定用量を投薬するためのエネルギーは、たとえば使用者によって、貯蔵部材７内に貯蔵することができる。このエネルギーを使用して、ハウジング２内で遠位方向に可動に保持されている駆動機構のピストンロッド８を駆動することができる。それによって、ピストンロッド８は、リザーバ内で栓５を遠位に前進させることができる。図示の実施形態では、ピストンロッド８は、薬物送達デバイスのナットセクションまたは部材９にねじ係合される。ナットセクション９はハウジング２の一体セクションとして示されているが、この目的で別個の部材を設けることもでき、別個の部材は、少なくとも用量設定および用量投薬中、好ましくはハウジングに対して回転不能に、および軸方向にロックされる。ねじ係合のために、ピストンロッド８がハウジング２に対して回転する結果、ピストンロッドがハウジングに対して軸方向に変位する。一回転方向に回転する結果、ピストンロッド８は遠位に動くことができ、反対の方向に回転する結果、近位に動くことができる。
【００９０】
薬物送達デバイス１は、駆動部材１０をさらに含む。駆動部材１０は、ピストンロッドに連結され、好ましくは直接連結される。例示的な実施形態では、駆動部材１０は、スプライン連結または係合を介してピストンロッドに連結される。すなわち、駆動部材１０およびピストンロッド８は、同速度で回転可能になるようにのみ連結される。駆動部材１０とピストンロッド８との間の相対回転は可能でない。したがって、駆動部材１０が回転する結果、ピストンロッドも回転し、したがってその結果、栓５が遠位方向に変位する。当然ながら、ピストンロッドを駆動するための他の構成も可能である。たとえば、ピストンロッドは、ハウジングに対してスプライン連結することができ、駆動部材にねじ係合することができる。
【００９１】
用量の設定、好ましくは設定用量の補正のために、薬物送達デバイス１は、用量設定部材１１を含む。用量設定部材１１は、ハウジング２に対して回転可能になるように設計される。用量設定部材１１は、用量設定中および／または近位方向に、ハウジングに対して軸方向に束縛することができる。遠位方向では、たとえば投薬動作をトリガまたは開始するために、制限された軸方向運動を可能にすることができる。用量設定部材１１が一方向に回転することで、便宜的に単位増分の倍数でのみ用量を増大させることができる増分式で、送達予定の用量のサイズを増大させることができる。反対の方向に回転することで、事前に設定されているゼロ以外の用量から開始して、送達予定の用量のサイズを減少させることができる。駆動部材１０は、用量設定中にハウジングに対して便宜的に回転不能にロックされる。このようにして、用量設定中のピストンロッド８の動きを回避することができる。用量を送達するために、好ましくはハウジング２に対する駆動部材の軸方向運動によって、回転ロックを解放することができる。
【００９２】
デバイス１は、ボタン２５をさらに含む。ボタン２５は、好ましくは用量設定部材１１に軸方向に固定されており、ボタン２５と用量設定部材１１との間の相対回転は可能である。ボタン２５は、ボタン２５をたとえば遠位に押下することによって、投薬動作を開始するためのユーザインターフェースを形成することができる。用量設定のために、使用者は、用量設定部材を側面で把持し、所望のサイズの用量が設定されるまで用量設定部材を回転させることができる。
【００９３】
デバイスは、可動部材１２または用量フォロワをさらに含む。可動部材１２は、好ましくは、エネルギー貯蔵部材７に連結されており、ハウジングに対して回転可能である。一方向、好ましくは設定用量のサイズを増大させる方向、すなわち増分方向に回転すると、貯蔵部材内に貯蔵されているエネルギーを増大させる。反対の方向、好ましくは設定用量のサイズを減少させる方向、すなわち減分方向に回転すると、便宜的に、貯蔵部材内に貯蔵されているエネルギーを減少させる。エネルギー貯蔵部材の一端は、ハウジング２に固定することができ、他端は、可動部材１２に固定することができる。したがって、貯蔵部材７内に貯蔵されているエネルギーは、可動部材１２を減分方向に回転させる傾向がある。この回転を使用して、投薬運動を駆動することができる。
【００９４】
用量設定部材１１は、可動部材１２または用量フォロワに回転不能に連結される。したがって、可動部材は、２つの反対の回転方向、すなわち増分方向および減分方向への用量設定部材の回転に追従することができる。用量設定部材１１と可動部材１２との間で制限された相対回転運動のみを可能にするように構成された用量設定部材と可動部材１２との間の連結について、以下により詳細に説明する。ハウジング２に対する用量フォロワ１２の回転または角度位置は、現在設定されている用量のサイズを示すことができる。したがって、可動部材１２を使用して、設定用量のサイズを示すことができる。この目的で、可動部材の外面に用量印を設けることができ、使用者が現在の設定用量を示す関連する印を見ることを有効にするために、ハウジング２内に窓（図示せず）を設けることもできる。この場合、可動部材は、用量インジケーション部材として作用する。別法として、可動部材１２は、別個の用量インジケーション部材に動作可能に連結することができ、別個の用量インジケーション部材は、ハウジングに対する可動部材の回転運動によって駆動され、現在の設定用量を示すように構成される。
【００９５】
付勢部材１３が設けられる。付勢部材１３は、可動部材１２に対する用量設定部材１１の特有の角度位置を画成するように設けられる。この位置は、以下にさらに論じるように、用量設定部材１１と用量フォロワまたは可動部材１２との間の定位置またはロック位置である。したがって、可動部材と用量設定部材との間にいずれかの回転方向の相対回転が生じた場合、付勢部材は付勢され、２つの部材間の初期またはロック位置を回復する傾向がある。付勢部材１３は、ばね、たとえばねじりばねとすることができ、可動部材１２と用量設定部材１１との間に着座させられ、かつ／または可動部材１２および用量設定部材１１に固定される。
【００９６】
図示のように、ピストンロッド８は、駆動部材１０、可動部材１２、および／または用量設定部材１１を通って延びることができる。用量設定部材１１は、可動部材１２内に受け入れることができる。
【００９７】
さらに、機械インターフェース１４が設けられる。機械インターフェースは、便宜的に、単位増分の整数倍に対応する画成された角度位置で可動部材１２をハウジング２に対して回転不能にロックするように設けられる。したがって、機械インターフェース１４は、好ましくは、エネルギー貯蔵部材７を介して可動部材１２へ伝達された力またはトルクを打ち消す。この力またはトルクが機械インターフェースによって反作用されなかった場合、可動部材１２が減分方向に回転するはずである。さらに、インターフェース１４は、好ましくは増分および減分方向に単位増分の整数倍で、可動部材１２の回転を可能にする。機械インターフェース１４は、ラチェットインターフェースとして形成することができる。
【００９８】
機械インターフェース１４は、好ましくは少なくとも用量設定中もしくは恒久的に、可動部材１２と、ハウジングに対して回転不能に固定されたデバイスの部材との間に、または可動部材１２とハウジング２との間に設けることができる。駆動機構の投薬動作を駆動するために、機械インターフェース１４によって提供される可動部材１２の回転ロックを解放することができる。したがって、機械インターフェース１４は、可動部材１２とハウジング２との間に設けることができ、または例示的な実施形態に示すように、可動部材１２と駆動部材１０との間に設けることができる。駆動部材１０は、ハウジングに対して解放可能に回転不能にロックされる。この目的で、駆動部材を付勢してハウジング２にクラッチ係合させるクラッチばね１５が設けられ、それによりハウジングに対する駆動部材の回転を防止する。たとえば用量を投薬するために、ハウジング２に対する駆動部材１０の軸方向運動により、クラッチ係合を解放し、ハウジングに対する駆動部材の回転運動を可能にすることができる。したがって、機構の用量設定動作モードで、駆動部材１０は、ハウジング２に対して回転不能にロックすることができ、機構の動作の用量投薬動作モードで、ハウジング２に対する駆動部材１０の回転ロックを解放することができる。ロックが解放されると、エネルギー貯蔵部材７内に貯蔵されているエネルギーによって引き起こされる可動部材の回転運動を駆動部材１０へ伝達することができる。駆動部材が回転すると、ピストンロッドがハウジング２に対して遠位に動く。
【００９９】
機械インターフェース１４は、単位増分、すなわちハウジング２および／または駆動部材１０に対して可動部材１２が可能にされる最小回転量を画成するように構成することができる。したがって、単位増分は、デバイスによって設定することができる最小用量に対応することができる。機械インターフェースは、径方向ラチェットインターフェースとすることができる。すなわち、ラチェット部材のうちの一方（可動部材１２）をラチェット部材のうちの他方（駆動部材１０またはハウジング２）に対して回転させるために、インターフェースを確立する機能間の径方向の相対運動が必要とされる。この径方向運動により、ラチェットシステムを形成するラチェット部材のうちの一方のラチェット機能をラチェット部材のうちの他方のラチェット機能から係合解除することができる。
【０１００】
動いている本明細書に記載するデバイスまたはシステムの要素、および特に本明細書に記載するデバイスまたはシステム内で回転している要素は、特に共通の回転軸に対して同心円状に配置することができる。回転軸は、図１に線Ａによって表されている。
【０１０１】
以下、機械インターフェースに関連する特に有利な実装形態のいくつかの実施形態について説明する。
【０１０２】
特に有利なシステムの一実装形態の主要部材を、図２に分解図で示す。システムは、第１の部材として用量設定部材１１を含む。第２の部材として、可動部材１２が設けられる。第３の部材として、駆動部材１０が設けられる。上記ですでに説明したように、ハウジング２が第３の部材として作用することもできる。さらに、付勢部材１３が図２に示されている。図３は、組み立てられたときの図２に示す構成要素およびエネルギー貯蔵部材７の概略断面図を示す。図４は、図３の線Ａ−Ａに沿って切り取った断面を示し、図５は、図３の線Ｂ−Ｂに沿って切り取った断面を示す。
【０１０３】
本明細書の上記および下記の用量設定部材１１への参照は、概略的な第１の部材も参照すると理解することができる。可動部材１２への参照は、概略的な第２の部材または第１のラチェット部材も参照すると理解することができる。駆動部材への参照は、概略的な第３の部材または第２のラチェット部材も参照すると理解することができ、この部材は、別の構成要素に対して恒久的または一時的に回転不能に固定することができる。可動部材１２は、好ましくは、エネルギー貯蔵部材に連結され、したがって第１の方向の回転により、エネルギー貯蔵部材内に貯蔵されているエネルギーが増大し、反対の第２の回転方向の回転により、エネルギーが減少する。また増分方向および減分方向は、それぞれ概略的な第１の回転方向および概略的な第２の回転方向を指すことができる。
【０１０４】
図４は、用量設定部材１１と可動部材１２との間の死角フォロワ連結を示す。連結は、突起１６によって形成される。突起１６は、径方向に延びる。図示の実施形態では、突起は、可動部材１２上に設けられ、かつ／または可動部材１２から見て径方向内方へ延びる。しかし、可動部材１２上に突起を設ける必要はなく、用量設定部材１１上に設けることもできることがすぐに明らかである。用量設定部材１１上に突起を設けることによって、連結の概略的な機能に影響が及ぶことはないはずである。連結の他の要素は、くぼみ１７によって形成される。突起１６は、くぼみ１７内に、特に径方向に受け入れられる。図４から明らかなように、複数の突起およびくぼみ対、たとえば２つの対が設けられる。異なる対の突起およびくぼみは、径方向に見て位置合わせすることができる。
【０１０５】
突起の１つの角度面、すなわち要素を角度または回転方向に区切る表面が、いずれかの回転方向でくぼみの１つの角度面に当接するように配置される。したがって、図４に示す隙間２６が用量設定部材１１と可動部材１２との間で閉鎖された後、用量設定部材は可動部材１２を伴って、たとえば設定用量のサイズを増大もしくは減少させ、または用量のサイズを減少させる。図４に示す位置は、付勢部材１３によって画成される位置、すなわち用量設定部材１１の初期位置またはロック位置とすることができる。図示のように、可動部材１２に対する用量設定部材１１の回転運動は、隙間２６の角度方向の延長によって画成される死角によって、両方の回転方向に可能である。死角は、両方の回転方向に等しくても異なってもよい。異なる場合、増分方向の死角は、減分方向の死角より小さくても大きくてもよい。部材１２がエネルギー貯蔵部材７の付勢を受けても、この付勢は連結を介して用量設定部材１１へ伝達されず、後述する機械インターフェースによって補償または反作用される。用量設定部材１１と可動部材１２との間の角度方向の隙間２６は、２単位増分、１単位増分、または１単位増分の２分の１に対応する角度より小さくすることができる。死角フォロワ連結は、用量設定部材の遠位セクション内に配置された機能（突起およびくぼみ）によって設けることができる。
【０１０６】
図５は、駆動部材１０または当てはまる場合はハウジング２と、可動部材１２との間の機械インターフェースを示す。機械インターフェース１４は、少なくとも１つの第１のインターフェース機能１８（第１のラチェット機能）と、少なくとも１つの第２のインターフェース機能１９（第２のラチェット機能）との協調によって形成される。それぞれのインターフェース機能は、突起または歯とすることができる。それぞれの機能は、径方向に向けられている。図５から明らかなように、断面図で見て駆動部材１０と用量設定部材１１との間に、可動部材が配置される。それぞれのインターフェース機能は、径方向に延びる。
【０１０７】
機械インターフェースは、インターフェース１４が反作用するように設計された最大トルクを超過するトルクが加えられない限り、関連するインターフェース機能の角度面が当接し、可動部材１２が駆動部材１０に対して回転することを便宜的に防止することによって形成される径方向ラチェットインターフェースである。可動部材を介して機械インターフェースへ伝達されるトルクがこの最大トルクを超えて増大した場合、インターフェースによってトルクに反作用することができなくなる。次いで、可動部材は駆動部材１０に対して回転する。この回転中、インターフェース機能１８は径方向に変位し、インターフェース機能１９を係合解除し、次のインターフェース機能１９に係合する。便宜的に、インターフェースは、システムの正常動作中に発生するすべてのトルクに反作用するように設計される。システムが薬物送達デバイスである場合、最大トルクは、設定可能な最大用量がデバイスから送達されるように設定されたときにエネルギー貯蔵部材によってインターフェースへ伝達されるトルクとすることができる。図示の実施形態では、２つの隣接するインターフェース機能１９間の距離は、単位増分、すなわち再び安定位置にくるまでに可動部材を回転させなければならない最小角度距離を画成する。インターフェース１４によって反作用することができるトルクは、可動部材の回転を阻止する角度面の勾配によって設定することができる。径方向に対するこの面の傾斜が小さければ小さいほど、最大トルクは大きくなる。２つの反対側に配列されたインターフェース機能は、インターフェース機能１９によって形成される連続する歯部に係合するように設けられる。図示の実施形態では、１８の安定位置が画成されているため、１単位増分に対応する角度は２０°であり、各安定位置は、２つの隣接するインターフェース機能１９間に画成されたポケットに対応する。他の細分も可能であることが明らかである。設定可能な最大用量は、７２０°を超える用量設定部材の回転を必要とする。
【０１０８】
図２から明らかなように、第１のインターフェース機能１８は、可動部材１２のインターフェースセクション２７内に設けられる。インターフェースセクション２７は、可動部材１２の本体２８に連結される。インターフェースセクションは、弾性変形可能になるように設計される。これにより、インターフェース機能１９に対するインターフェース機能１８の径方向運動が可能になり、関連する方向における駆動部材１０またはハウジング２に対する可動部材１２の回転が有効になる。本体２８は、剛性を有するように設計される。本体２８は、ウェブ２９を介してインターフェースセクション２７に強固に連結することができる。第１のインターフェース機能１８に対して（径方向の）弾力性を提供するために、可動部材１２内に切り抜き２０を設けることができる。インターフェースセクションは、本体２８と比較すると低減された直径および／または壁厚さを有することができる。これにより、インターフェース機能１９を有する駆動部材１０の領域内にこのセクションを受け入れることが容易になる。
【０１０９】
可動部材１２を駆動部材１０に対して回転させるために、第１のインターフェース機能１８は、インターフェース機能１９の傾いた角度面に当接したまま、径方向に、図示の実施形態では内方方向に動かなければならず、その後、弛緩し、２つの隣接するインターフェース機能１９間に画成された次のラチェットポケット内に静止することができる。図４および図５に示す状況で、用量設定部材１１はロック位置にある。この位置で、インターフェース機能１８の径方向運動が防止される。したがって、第１のインターフェース機能および第２のインターフェース機能の係合解除が防止される。したがって、インターフェース１４によって提供される回転ロックを解放するために必要とされる係合解除が防止されるため、可動部材はいずれの回転方向にも回転することができない。用量設定部材１１は、突起２１またはロック機能、たとえば２つの反対に配列されたロック機能２１を含む。ロック機能は、可動部材１２の方へ、たとえば径方向および／または外方に延びる。ロック機能２１は、径方向に向けられている。ロック機能２１の径方向端面は可動部材に面し、好ましくは可動部材１２から用量設定部材１１の方向に突出する突起２２に面する。機能２１および突起２２は、角度方向に位置合わせすることができる。ロック機能２１および／または突起２２は、第１のインターフェース機能１８に角度方向に位置合わせすることができ、または第１のインターフェース機能１８に重複することができる。しかし、角度方向のずれを伴うもののような他の実装形態も可能である。しかし、図示の配置は、インターフェース機能１８がその角度位置で径方向に支持されているため、最も効率的な構成を提供することができる。
【０１１０】
図５に示すように、ロック機能２１と可動部材１２との間、特にロック機能２１と突起２２との間に径方向の隙間３０があるため、インターフェース機能１８および１９を係合解除するために必要とされるはずの方向における制限された径方向運動が可能になる。しかし、隙間３０によって可能になる径方向運動は、駆動部材１０に対する可動部材１２の回転を可能にするために必要とされる径方向運動より小さい。したがって、図５に示すロック位置にあるインターフェース１４は、たとえば用量がすでに設定されているときに薬物送達デバイスが床に落下した場合に、意図せず係合解除される可能性がない。したがって、エネルギー貯蔵部材内のエネルギーが意図せず解放されることが防止される。このようにして、使用者の安全が増大する。
【０１１１】
突起２２および／またはロック機能２１は、その自由（径方向）端に向かって減少する角度方向の寸法または延長を有することができる。ロック機能２１および突起２２は、同様に形成することができ、互いに面することができる。ロック機能２１に角度方向に隣接する領域内で、便宜的にロック機能２１の一方または両方の側に、凹部３１を形成することができる。それぞれの凹部の角度方向の延長は、好ましくは、図４に示す突起１６とくぼみ１７の角度面との間の角度方向の隙間以上である。したがって、この凹部は、径方向運動のための余裕を提供しており、用量設定部材１１がいずれかの回転方向に死角だけ回転させられた後、可動部材が回転したときに突起２２を受けることができる。
【０１１２】
図６は、図３のより詳細な図を示す。図７および図８は、図４および図５に示すロック位置から開始して、用量設定部材１１が可動部材１２に対して、たとえば反時計回り方向に回転するときの状況を示す。典型的には、反時計回り方向は、事前に設定された用量のサイズを減少させる方向である。しかし、反対の方向の回転によって、用量の増大も同様に実行することができることが容易に明らかである。図示のように、くぼみおよび突起１６の角度側面は当接し、したがって用量設定部材のさらなる回転が可動部材１２へ伝達される。また、ロック機能２１は、ロック位置および／または突起２２から離れる方へ回転している。したがって、インターフェース機能１８および１９間の径方向運動が阻止されなくなるため、機械インターフェース１４を係合解除することができ、可動部材１２を駆動部材１０に対して回転させて、可動部材１２を増分または減分することができる。したがって、図７および図８に示す状況から開始して、用量設定部材がさらに回転した場合、インターフェース機能１８は径方向に、たとえば内方へ動き、安定した回転位置を提供する次のインターフェース機能１９に係合することができる。図８から明らかなように、機械インターフェースは、正常動作中にエネルギー貯蔵部材を介して機械インターフェースへ伝達されるあらゆるトルクを打ち消すのに十分なほど強いことが好ましい。
【０１１３】
インターフェース機能は、特に軸に直交する平面に沿って切り取った断面において、対称（図示のとおり）であっても非対称であってもよい。対称の機能は、可動部材１２を回転させるために必要とされる力またはトルクが両方向に等しいことを保証する。非対称のラチェット機能は、可動部材を一方向に回転させるために、反対の方向と比較してより大きい力またはトルクを必要とする。この例では、非対称のインターフェースが設けられた場合、インターフェース機能は、便宜的に、エネルギー貯蔵部材７が可動部材１２を回転させる傾向がある方向に可動部材１２を回転させるために、より大きい力またはトルクを印加することが必要になるように構成される。
【０１１４】
所望の用量が設定されているとき、ボタン２５を遠位方向に押下することができる。これにより、ボタン２５が遠位に動くことに続いて、駆動部材１０がハウジング２に対して、好ましくは用量設定部材１１を介して遠位に動く。この遠位の動きにより、駆動部材１０がハウジング２から係合解除され、好ましくは、駆動部材１０および可動部材１２を回転不能にロックし、たとえば駆動部材と可動部材１２との間のスプライン連結を係合する。エネルギー貯蔵部材１２のトルクに反作用しなくなるため、駆動部材と同様に可動部材１２も回転する。駆動部材１０が回転すると、ピストンロッド８はハウジング２に対して遠位に変位する。用量送達中、用量設定部材１１は、ボタン２５に対して回転しても回転しなくてもよい。
【０１１５】
図５〜図８に示す機械インターフェース１４の実装形態では、単位増分を画成するインターフェース機能１９は、円周全体、すなわち３６０°にわたって均一に、円周方向に配列される。しかし、ラチェットシステムの他の実装形態も開示する概念に好適である。そのような実装形態について以下に説明し、上述したインターフェースとの違いに焦点を当てる。したがって、上述した構成は、以下の説明にも適用することができる。
【０１１６】
図９〜図１２は、可動部材１２とそれぞれ駆動部材１０またはハウジング２との間の機械インターフェース１４のさらなる実装形態を示す。図９は、図１のデバイスの小さいセクションを示す。図１０は、断面図に基づく実装形態の一実施形態を示し、図１１および図１２は、斜視図に基づく別の実施形態を示す。機械インターフェース１４はそれでもなお、可動部材１２が両方の回転方向において単位増分の整数倍でのみ駆動部材１０またはハウジング２に対して回転可能になるように設計される。単位増分は、互いから単位増分に対応する距離をあけて円周方向に配列および配置されたインターフェース機能１９の配置によって画成される。しかし、インターフェース機能は、図５のように円周全体にわたって延びない。逆に、隣接するインターフェース機能を分離する角度方向の間隙３２が存在する。間隙３２の角度方向の延長は、１単位増分に対応する角度より大きくすることができ、たとえば単位増分の数：２、３、４、５、６、７、８、９、１０に対応する角度以上とすることができる。
【０１１７】
図１０に示すように、インターフェース機能１９は、たとえば１８０°のより小さい角度範囲にわたってのみ延びる。したがって、別の角度範囲、すなわち間隙３２には、インターフェース機能がない。この範囲は、３６０°からインターフェース機能の角度方向の延長を引いた値とすることができる。それにもかかわらず、機械インターフェースはそれでもなお、１単位増分の倍数でのみ回転運動を実行するように構成される。そのため、複数の第１のインターフェース機能１８が設けられる。図１０に示す実施形態では、２つのインターフェース機能１８が設けられている。インターフェース機能１９と協働して駆動部材１０に対する可動部材１２の回転ロックを確立するように設けられるインターフェース機能１８の最小数は、３６０°を、単位増分を画成するインターフェース機能１９が設けられていないすべての角度距離の和で割った値である。図１０の実施形態では、インターフェース機能１９の角度方向の延長が１８０°であるため、この最小値は２である。
【０１１８】
図１０の実施形態では、各回転方向において、すべてのインターフェース機能１８のうちの１つの角度方向の側面のみが、好ましくはインターフェース１４によって画成される任意の安定位置で、第２のインターフェース機能１９を画成する歯と相互作用する。インターフェース機能１８ａの側面が１つのインターフェース機能１９の側面に当接することによって、時計回り方向の回転が妨げられる。インターフェース機能１８ｂの側面が１つのインターフェース機能１９の側面に当接することによって、反時計回り方向の回転が妨げられる。したがって、１つのインターフェース機能１８のみが、インターフェース１４によって画成される任意の安定位置で１つの特有の方向の回転運動を妨げる係合を提供する。
【０１１９】
単位増分を画成するインターフェース機能１９は、図１０に示すように、１つの隣接する角度領域内で分散させることができるだけでなく、角度方向により広く分散させることもできる。これは図１１および図１２に示され、インターフェース機能１９の４つのグループが示されており、これらのグループは、１単位増分より大きい、特に３単位増分または４単位増分に対応する角度以上の間隙３２によって、角度方向に分離される。各グループ内で、インターフェース機能１９は、１単位増分に対応する距離をあけて配置される。図１１で、１つのインターフェース機能１８のみがグループのすべてに相互作用して各回転方向の回転を妨げることが同様に確実になる。図１０とは異なり、図１１では、インターフェース機能１８および１９の径方向の向きが逆である。
【０１２０】
関連する方向の回転運動を実現するために、１つの当接または係合を解放するだけでよいため、１対のインターフェース機能１８および１９のみによって、特有の回転方向の回転ロックが提供されることが有利である。これにより、使用者に対する信頼度が提供され、特に回転プロセス中のわずかにずれた時点で生成される２つの異なる係合解除フィードバックが、デバイスが適切に機能していないことを示しているように使用者が誤解することが回避される。
【０１２１】
さらに、円周全体がインターフェース機能または歯によって覆われるわけではないため、間隙３２を使用して、この領域を介して追加の要素を案内することができ、たとえばインターフェース機能１９から軸方向にずれて設けられたねじ山に係合することができる。そのようなねじ山２４は、図１２に示されている。追加の要素は、リザーバ内で利用可能な薬物の量を超過する用量が設定されることを防止するように構成された最終用量ナット（ｌａｓｔ  ｄｏｓｅ  ｎｕｔ）とすることができる。最終用量ナットは、用量設定中に用量設定部材１１に連結することができ、用量投薬中に設定部材１１から連結解除することができる。したがって、ねじ山上のナットの軸方向位置は、リザーバからすでに投薬された薬物の全量に対応することができる。
【０１２２】
１つのインターフェース機能対１８／１９のみがそれぞれの回転方向に負荷を伝えるとき、インターフェース１４に非対称の負荷がかかるため、可動部材１２および駆動部材１０を適切な軸方向の位置合わせで維持する位置合わせ機能２３を設けることができる。位置合わせ機能は、たとえば図９に示されている。この位置合わせ機能は、本体２８を軸方向に案内することができる。この位置合わせ機能は、駆動部材１０のセクションが本体２８の外面の周りに延びることによって実現することができる。当然ながら、他の構成も同様に可能である。
【０１２３】
保護範囲は、本明細書に上述した例に限定されるものではない。本発明は、各々の新規な特徴および各々の特徴の組合せで実施され、特に特許請求の範囲に記載されている任意の機能のあらゆる組合せが、この機能またはこの機能の組合せが特許請求の範囲または例に明示的に記載されていない場合でも含まれる。
【符号の説明】
【０１２４】
１  薬物送達デバイス
２  ハウジング
３  リザーバ
４  薬物
５  栓
６  セプタム
７  エネルギー貯蔵部材
８  ナットセクション
１０  駆動部材
１１  用量設定部材
１２  用量フォロワ
１３  付勢部材
１４  機械インターフェース
１５  クラッチばね
１６  突起
１７  くぼみ
１８  第１のインターフェース機能
１８ａ  インターフェース機能
１８ｂ  インターフェース機能
１９  第２のインターフェース機能
２０  切り抜き
２１  ロック機能
２２  突起
２３  位置合わせ機能
２４  ねじ山
２５  ボタン
２６  隙間
２７  インターフェースセクション
２８  本体
２９  ウェブ
３０  隙間
３１  凹部
３２  間隙
Ａ  軸
【図１】
2021504039.tif 000003
【図２】
2021504039.tif 000004
【図３】
2021504039.tif 000005
【図４】
2021504039.tif 000006
【図５】
2021504039.tif 000007
【図６】
2021504039.tif 000008
【図７】
2021504039.tif 000009
【図８】
2021504039.tif 000010
【図９】
2021504039.tif 000011
【図１０】
2021504039.tif 000012
【図１１】
2021504039.tif 000013
【図１２】
2021504039.tif 000014
【国際調査報告】
2021504039.tif 000015
2021504039.tif 000016
2021504039.tif 000017